(57)【要約】【課題】映像投影部から投影される映像によって知的作業時において集中しやすい環境を簡易に実現できる照明システムを提供する。【解決手段】ユーザ２０が知的作業を行うための作業領域である第１領域１１と第１領域１１以外の第２領域１２とに対して映像を投影する映像投影部１１０と、第１領域１１と第２領域１２とで照度及び色温度が異なった映像が投影されるように映像投影部１１０を制御することで光による没入感を生成する映像制御部１２１と、を備える。【選択図】図１
2017103059.tif 000002
【特許請求の範囲】
【請求項１】
ユーザが知的作業を行うための作業領域である第１領域と前記第１領域以外の第２領域とに対して映像を投影する映像投影部と、
前記第１領域と前記第２領域とで照度及び色温度が異なった映像が投影されるように前記映像投影部を制御することで光による没入感を生成する映像制御部と、を備える、
照明システム。
【請求項２】
前記映像制御部は、前記第１領域の照度が前記第２領域の照度よりも高く、かつ、前記第１領域の色温度が前記第２領域の色温度よりも高くなるように、前記映像投影部を制御する、
請求項１記載の照明システム。
【請求項３】
前記第１領域と前記第２領域とを特定する領域特定部を備える、
請求項１又は２記載の照明システム。
【請求項４】
前記映像制御部は、前記ユーザが知的作業を開始する際に、前記ユーザの集中度を高めるための情報が前記映像に含まれるように、前記映像投影部を制御する、
請求項１乃至３の何れか１項に記載の照明システム。
【請求項５】
知的作業中の前記ユーザの作業ペースを示す配分情報を提示する提示部を備える、
請求項１乃至４の何れか１項に記載の照明システム。
【請求項６】
前記ユーザの知的作業中の動作状態を検出する検出部を備え、
前記映像制御部は、前記検出部が検出した動作状態に応じて、前記映像投影部を制御する、
請求項１乃至５の何れか１項に記載の照明システム。
【請求項７】
前記検出部は、前記ユーザの顔の状態から前記動作状態を検出する、
請求項６記載の照明システム。
【請求項８】
コンピュータを、請求項１乃至７の何れか１項に記載の照明システムとして機能させるためのプログラム。
【発明の詳細な説明】
【技術分野】
【０００１】
本発明は、照明システム及びプログラムに関し、特に、ユーザが知的作業を行うときに用いられる照明システムに関する。
【背景技術】
【０００２】
知的作業が行われるオフィス環境又は学習環境などの作業環境は、知的作業を行うユーザにとって集中しやすい環境であることが求められる。この場合、照明によって集中しやすい環境を実現することができれば、ユーザにとって自然なものとなる。
【０００３】
従来、タスク＆アンビエント照明方式など、複数台の照明装置を用いることで作業環境におけるユーザの集中度を高めることができる照明システムが知られている（例えば特許文献１参照）。
【先行技術文献】
【特許文献】
【０００４】
【特許文献１】特開２０１５−２２９４５号公報
【発明の概要】
【発明が解決しようとする課題】
【０００５】
しかしながら、従来の照明システムでは、複数台の照明装置を必要としたり、ユーザの集中度を十分に高めることができなかったりする。
【０００６】
一方、照明装置を照明用に用いるだけではなく映像投影用に用いることが検討されており、照明機能と映像投影機能とを有するプロジェクタ照明が知られている。例えば、プロジェクタ照明は、照明光として映像を投影する映像投影部を有する。
【０００７】
本発明は、映像投影部から投影される映像によって知的作業時において集中しやすい環境を簡易に実現できる照明システムを提供することを目的とする。
【課題を解決するための手段】
【０００８】
上記目的を達成するために、本発明に係る照明システムの一態様は、ユーザが知的作業を行うための作業領域である第１領域と前記第１領域以外の第２領域とに対して映像を投影する映像投影部と、前記第１領域と前記第２領域とで照度及び色温度が異なった映像が投影されるように前記映像投影部を制御することで光による没入感を生成する映像制御部と、を備える。
【０００９】
なお、本発明は、コンピュータを上記照明システムとして機能させるためのプログラムとして実現したり、そのプログラムを格納したコンピュータ読み取り可能な記録媒体として実現したりすることもできる。
【発明の効果】
【００１０】
本発明によれば、映像投影部から投影される映像によって知的作業時において集中しやすい環境を簡易に実現できる。
【図面の簡単な説明】
【００１１】
【図１】実施の形態１に係る照明システムを説明するための図（映像投影時の斜視図）である。
【図２】実施の形態１に係る照明システムを説明するための図（映像投影時の側面図）である。
【図３】実施の形態１に係る照明システムを説明するための図（映像投影時の映像投影領域を示す図）である。
【図４】実施の形態１に係る照明システムにおけるプロジェクタ照明の構成を示す機能ブロック図である。
【図５Ａ】実施の形態１に係る照明システムにおいて、ユーザの集中度を高めるための情報を含む映像（作業開始の３秒前の映像）の一例を作業面に投影しているときの様子を示す図である。
【図５Ｂ】実施の形態１に係る照明システムにおいて、ユーザの集中度を高めるための情報を含む映像（作業開始の２秒前の映像）の一例を作業面に投影しているときの様子を示す図である。
【図５Ｃ】実施の形態１に係る照明システムにおいて、ユーザの集中度を高めるための情報を含む映像（作業開始の１秒前の映像）の一例を作業面に投影しているときの様子を示す図である。
【図５Ｄ】実施の形態１に係る照明システムにおいて、ユーザの集中度を高めるための情報を含む映像（作業開始の瞬間の映像）の一例を作業面に投影しているときの様子を示す図である。
【図６】実施の形態１の変形例に係る照明システムにおけるプロジェクタ照明の構成を示す機能ブロック図である。
【図７】実施の形態１の変形例に係る照明システムにおいて、作業ペースを示す配分情報を含む映像の一例を作業面に投影しているときの様子を示す図である。
【図８】実施の形態１の変形例に係る照明システムにおいて、作業ペースを示す配分情報を含む映像の他の一例を作業面に投影しているときの様子を示す図である。
【図９】実施の形態２に係る照明システムにおけるプロジェクタ照明の構成を示す機能ブロック図である。
【図１０】実施の形態２に係る照明システムを説明するための図（映像投影時の側面図）である。
【図１１】実施の形態２に係る照明システムを説明するための図（映像投影時の映像投影領域を示す図）である。
【図１２】実施の形態２の変形例に係る照明システムおけるプロジェクタ照明の構成を示す機能ブロック図である。
【発明を実施するための形態】
【００１２】
以下、本発明の実施の形態について説明する。なお、以下に説明する実施の形態は、いずれも本発明の好ましい一具体例を示すものである。したがって、以下の実施の形態で示される、数値、構成要素、構成要素の配置位置及び接続形態、並びに、ステップ及びステップの順序等は、一例であって本発明を限定する主旨ではない。よって、以下の実施の形態における構成要素のうち、本発明の最上位概念を示す独立請求項に記載されていない構成要素については、任意の構成要素として説明される。
【００１３】
また、各図は、模式図であり、必ずしも厳密に図示されたものではない。なお、各図において、実質的に同一の構成に対しては同一の符号を付しており、重複する説明は省略又は簡略化する。
【００１４】
（実施の形態）
まず、実施の形態１に係る照明システム１について、図１〜図４を用いて説明する。図１〜図３は、実施の形態１に係る照明システム１を説明するための図であり、図１は映像投影時の斜視図、図２は映像投影時の側面図、図３は映像投影時の映像投影領域を示す図である。また、図４は、同照明システム１におけるプロジェクタ照明１００の構成を示す機能ブロック図である。
【００１５】
図１及び図２に示すように、照明システム１は、ユーザ２０が知的作業を行うときに用いられるシステムであって、プロジェクタ照明１００によって構成されている。プロジェクタ照明１００は、例えば建物の室内の天井に設置される。
【００１６】
図１〜図３に示すように、ユーザ２０は、例えば作業台１０において知的作業を行う。知的作業とは、仕事又は勉強等、頭脳を使う作業のことである。作業台１０は、例えば作業机である。
【００１７】
プロジェクタ照明１００は、ユーザ２０が知的作業を行う際に、作業台１０に映像を投影する。つまり、本実施の形態では、作業台１０の作業面１０ａ（例えば机面）がプロジェクタ照明１００の投影面となっている。作業面１０ａの形状は、例えば矩形状である。
【００１８】
図２及び図３に示すように、作業台１０の作業面１０ａには、ユーザ２０が知的作業を行うための作業領域である第１領域１１と、第１領域１１以外の領域（周辺領域）である第２領域１２とが含まれている。第１領域１１は、主として知的作業が行われる領域である。一方、第２領域１２は、主として知的作業が行われない領域である。なお、一時的には第２領域１２において知的作業が行われてもよい。
【００１９】
第１領域１１と第２領域１２とは、プロジェクタ照明１００から投影される映像によって区別される。具体的には、後述するように、第１領域１１と第２領域１２とは、照度及び色温度で区別される。
【００２０】
図２において、第１領域１１及び第２領域１２は、作業面１０ａにおける平面領域（二次元領域）として図示されているが、平面領域に限るものではない。例えば、第１領域１１及び第２領域１２は、作業面１０ａにおける平面領域とともに作業面１０ａの上方部分の空間領域を含むものであってもよい。なお、作業面１０ａにおける第１領域１１は、作業領域の一例として楕円形で図示されているが、第１領域１１の形状は、これに限るものでなく、円形又は矩形状等であっても。
【００２１】
また、図３において、第１領域１１と第２領域１２とは１本のラインで区分けされているが、第１領域１１と第２領域１２との境界は必ずしもライン状でなくてもよく、第１領域１１と第２領域１２との境界には一定の幅があってもよい。
【００２２】
なお、図３に示すように、本実施の形態では、プロジェクタ照明１００から投影される映像全体の大きさは、作業台１０の作業面１０ａの大きさよりも大きくして作業台１０からはみ出しているが、これに限るものではない。つまり、プロジェクタ照明１００から投影される映像全体の大きさは、作業台１０の作業面１０ａの大きさよりも小さくてもよいし、プロジェクタ照明１００から投影される映像全体の大きさ及び形状が作業台１０の作業面１０ａの大きさ及び形状と一致していてもよい。
【００２３】
図４に示すように、プロジェクタ照明１００は、照明装置の一例であって、映像投影部１１０と、処理部１２０とを備える。
【００２４】
映像投影部１１０は、映像を投影する映像投影装置であり、例えば作業台１０に映像を投影する。具体的には、映像投影部１１０は、第１領域１１と第２領域１２とに対して映像を投影する。映像投影部１１０から投影される映像（投影映像）の全体形状は、例えば矩形状である。
【００２５】
映像投影部１１０は、半導体レーザやランプ等の光源、レンズやミラー等の光学系、液晶パネル等の表示素子、及び、投射レンズ等を有する。例えば、作業台１０に投影するための映像が映像投影部１１０に入力されると、映像投影部１１０の投射レンズから作業台１０に向かって映像が投射される。なお、本明細書において、映像（画像）とは、静止画像及び動画像のいずれであってもよい。
【００２６】
本実施の形態において、映像投影部１１０は、映像を投影する機能を有するだけではなく、白色光の照明光を照射する機能も有する。つまり、映像投影部１１０は、照明光として映像を投影することができる。
【００２７】
また、映像投影部１１０は、照明光として投影する映像の明るさ（輝度）及びＲＧＢ色成分を変更できるように調光機能及び調色機能を有している。これにより、作業台１０の作業面１０ａに投影される映像の照度及び色温度を変更することができるので、第１領域１１と第２領域１２とで照度及び色温度が異なった映像を投影することができる。
【００２８】
例えば、映像投影部１１０における表示素子の画素ごとに明るさ及びＲＧＢ色成分を変更することができるようになっている。これにより、映像が投影される作業面１０ａの複数箇所の各々において個別に照度及び色温度を容易に設定することができる。本実施の形態では、第１領域１１と第２領域１２との２つの領域に対して、互いに照度及び色温度が異なった映像を投影している。
【００２９】
処理部１２０は、各種制御機能を有する制御部であり、本実施の形態では、映像制御部１２１を有する。
【００３０】
映像制御部１２１は、映像投影部１１０を制御する。具体的には、映像制御部１２１は、作業台１０に対して照明光として映像を投影する映像投影部１１０を制御することで、作業台１０の作業面１０ａの複数の領域の各々に対して、映像による照度及び色温度を個別に変更することができる。本実施の形態では、映像制御部１２１は、第１領域１１と第２領域１２とで照度及び色温度が異なった映像が投影されるように映像投影部１１０を制御する。これにより、作業台１０において光による没入感を生成することが可能となる。つまり、映像制御部１２１は、光によって没入感が生成される映像が投影されるように映像投影部１１０を制御している。
【００３１】
より具体的には、映像制御部１２１は、映像投影部１１０から投影される映像（投影映像）が、第１領域１１での照度が第２領域１２での照度よりも高く、かつ、第１領域１１での色温度が第２領域１２での色温度よりも高くなるように、映像投影部１１０を制御している。
【００３２】
一例として、映像制御部１２１は、第１領域１１では照度が７５０ｌｘで色温度が６０００Ｋで、第２領域１２では照度が３００ｌｘで色温度が５０００Ｋとなるような映像パターン（照明パターン）が投影されるように映像投影部１１０を制御している。つまり、映像投影部１１０から投影される映像全体のうち、第１領域１１に対応する第１映像については、照度が７５０ｌｘで色温度が６０００Ｋの照明光であり、第２領域１２に対応する第２映像については、照度が３００ｌｘで色温度が５０００Ｋの照明光である。なお、一般的な作業環境下における照明器具の色温度は５０００Ｋ程度である。つまり、本実施の形態では、第２領域１２に投影される第２映像を、一般的な作業環境下での照明光に設定している。
【００３３】
なお、知的作業を行うユーザ２０に対して没入感をより感じさせるには（つまり、より高い没入感を得るには）、第１領域１１と第２領域１２との色温度差は１０００Ｋ以上あるとよい。
【００３４】
以上、本実施の形態における照明システム１によれば、ユーザ２０が知的作業を行うための作業領域である第１領域１１と第１領域１１以外の第２領域１２とに対して映像を投影する映像投影部１１０と、第１領域１１と第２領域１２とで照度及び色温度が異なった映像が投影されるように映像投影部１１０を制御することで光による没入感を生成する映像制御部１２１と、を備えている。
【００３５】
このように、本実施の形態では、高照度及び高色温度による照明光によって単に脳を覚醒させるのではなく、映像投影部１１０から投影される映像によって作業空間に光の没入感を生成することで、周囲の余計な視覚ノイズを低減して視覚情報による認知負荷を軽減させている。この結果、ユーザ２０の脳の認知リソースを無意識（自動的）に知的作業に向けることができる。つまり、ユーザ２０の認知リソースを効率的に割り当てることができる。これにより、ユーザ２０の集中度を高めることができる。
【００３６】
以上のように、本実施の形態における照明システム１によれば、知的作業時において集中しやすい環境を簡易に実現することができる。これにより、知的作業を行うユーザ２０の集中度を高めることによって知的生産性を向上させることができる。なお、この結果として、工場生産性を向上させることができたり、電気機器等の無駄な使用を抑制できるので省電力化を図ることができたりする。
【００３７】
また、本実施の形態において、映像制御部１２１は、第１領域１１の照度が第２領域１２の照度よりも高く、かつ、第１領域１１の色温度が第２領域１２の色温度よりも高くなるように、映像投影部１１０を制御している。
【００３８】
このように、作業領域となる第１領域１１の照度及び色温度を、作業領域以外の第２領域１２の照度及び色温度よりも高くすることで、ユーザ２０の脳を覚醒させることができる。したがって、知的作業を行うユーザ２０の集中度をより高めることができる。
【００３９】
また、映像制御部１２１は、ユーザ２０が知的作業を開始する際に、ユーザ２０の集中度を高めるための情報が映像に含まれるように映像投影部１１０を制御してもよい。
【００４０】
この場合、例えば、図５Ａ〜図５Ｄに示すように、「３」、「２」、「１」、「ＳＴＡＲＴ」のように、作業開始を示すカウントダウンに関する数字や文字の情報を含む映像を投影することができる。図５Ａ〜図５Ｄは、ユーザ２０の集中度を高めるための情報を含む映像の一例を作業面１０ａに投影しているときの様子を示す図であり、それぞれ、作業開始の３秒前の映像、作業開始の２秒前の映像、作業開始の１秒前の映像、作業開始の瞬間の映像を示している。
【００４１】
このように、カウントダウンを示す映像を投影して知的作業が開始することをユーザ２０に提示することで、ユーザ２０は、これから行う知的作業へと気分を切り替えることができる。これにより、知的作業を開始する際のユーザ２０の集中度を一気に高めることができる。つまり、知的作業の開始を示す映像をユーザ２０に提示することで、この映像をトリガーとしてユーザ２０の心理状態のモードチェンジを行うことができる。したがって、より集中しやすい環境を実現することができる。
【００４２】
なお、図５Ａ〜図５Ｄにおいて、ユーザ２０の集中度を高めるための情報は、第１領域１１に表示したが、第２領域１２に表示してもよい。また、作業開始時におけるユーザ２０の集中度を高めるための情報は、上記のようなカウントダウンに関する情報に限るものではなく、ユーザ２０の個人毎の好みに応じた任意のものであってもよい。つまり、ユーザ２０の集中度を高めるための情報とは、ユーザ２０の集中力を向上させるための情報であって、ユーザ２０に提示しない場合と比べて提示することで集中度を高めることができる情報である。
【００４３】
（実施の形態１の変形例）
次に、実施の形態１の変形例に係る照明システムについて、図６、図７及び図８を用いて説明する。図６は、実施の形態１の変形例に係る照明システムにおけるプロジェクタ照明１００Ａの構成を示す機能ブロック図である。図７及び図８は、作業ペースを示す配分情報を含む映像の一例が作業面１０ａに投影されているときの様子を示す図である。
【００４４】
図６に示すように、本変形例における照明システムは、上記実施の形態１における照明システム１に対して、さらに、提示部１２２を備えている。
【００４５】
本変形例において、提示部１２２は、プロジェクタ照明１００Ａの処理部１２０Ａの機能として実現している。つまり、プロジェクタ照明１００Ａは、上記実施の形態１におけるプロジェクタ照明１００に対して、さらに、提示部１２２を備える構成になっている。
【００４６】
提示部１２２は、知的作業中のユーザ２０の作業ペース（動作ペース）を示す配分情報を提示する。具体的には、提示部１２２は、知的作業中のユーザ２０の作業ペースを示す配分情報が投影映像に含まれるように映像投影部１１０を制御する。一例として、提示部１２２は、図７に示すように、知的作業中のユーザ２０の作業ペースを示す配分情報として、知的作業を開始してからの時間情報（例えば「１０分経過」）が投影映像に含まれるように映像投影部１１０を制御する。
【００４７】
あるいは、提示部１２２は、図８に示すように、知的作業中のユーザ２０の作業ペースを示す配分情報として、知的作業終了までの残りの時間情報（例えば「あと１０分」）が映像に含まれるように映像投影部１１０を制御してもよい。
【００４８】
なお、作業ペースを示す配分情報は、第１領域１１及び第２領域１２のいずれに表示されていてもよいが、知的作業の妨げとならないように、第２領域１２に表示される方がよい。また、作業ペースを示す配分情報は、図７及び図８に示すような映像情報に限るものではなく、音声情報等であってもよい。この場合、提示部１２２は、知的作業中のユーザ２０の作業ペースを示す配分情報として、「１０分経過しました」又は「あと１０分です」等の音声情報をスピーカ等を介して出力してもよい。
【００４９】
以上、本変形例における照明システムによれば、上記実施の形態１と同様の構成を有するので、上記実施の形態１と同様の効果が得られる。
【００５０】
例えば、映像投影部１１０から投影される映像によって光の没入感を生成することによって、知的作業時において集中しやすい環境を簡易に実現することができる等の効果が得られる。
【００５１】
また、本変形例では、知的作業中のユーザ２０の作業ペースを示す配分情報を提示する提示部１２２を備えている。
【００５２】
これにより、知的作業を行うユーザ２０に対して作業を行うモチベーションを持続させることができるので、知的作業中のユーザ２０の集中力を維持させることができる。
【００５３】
なお、本変形例において、提示部１２２は、プロジェクタ照明１００Ａの一部の構成要素としたが、これに限るものではない。つまり、提示部１２２は、プロジェクタ照明１００Ａとは別体の制御装置等であってもよい。
【００５４】
（実施の形態２）
次に、実施の形態２に係る照明システム２について、図９〜図１１を用いて説明する。図９は、同照明システム２におけるプロジェクタ照明１００Ｂの構成を示す機能ブロック図である。図１０及び図１１は、実施の形態２に係る照明システム２を説明するための図であり、図１１は、映像投影時における同照明システム２の側面図、図１２は映像投影時における映像投影領域を示している。
【００５５】
図９に示すように、本実施の形態における照明システム２は、上記実施の形態１における照明システム１に対して、さらに、領域特定部１２３と、撮像部１３０とを備えている。
【００５６】
本実施の形態において、領域特定部１２３は、プロジェクタ照明１００Ｂの処理部１２０Ｂの機能として実現している。また、撮像部１３０についても、プロジェクタ照明１００Ｂの機能として実現している。撮像部１３０は、例えば、図１０に示すように、プロジェクタ照明１００Ｂの筐体に設置される。このように、プロジェクタ照明１００Ｂは、上記実施の形態１におけるプロジェクタ照明１００に対して、さらに、領域特定部１２３と撮像部１３０とを備える構成になっている。
【００５７】
撮像部１３０は、例えば、ＣＣＤイメージセンサ又はＣＭＯＳイメージセンサ等の撮像素子と光学系等とを有するカメラである。撮像部１３０で撮像された撮像画像（画像データ）は処理部１２０Ｂに送信される。
【００５８】
図１１に示すように、撮像部１３０は、第１領域１１及び第２領域１２を撮像する。具体的には、撮像部１３０は、作業台１０の作業面１０ａの一部又は全部を含む領域を撮像する。本実施の形態において、撮像部１３０の撮像領域１３０ａの大きさは、作業台１０の作業面１０ａの大きさよりも大きくなっているが、これに限るものではない。つまり、撮像部１３０の撮像領域１３０ａの大きさは、作業台１０の作業面１０ａの大きさよりも小さくてもよいし、撮像部１３０の撮像領域１３０ａの大きさ及び形状が作業台１０の作業面１０ａの大きさ及び形状と一致していてもよい。
【００５９】
なお、撮像部１３０は、撮像領域を変更するために撮像方向を可変とする可動部を有していてもよい。撮像部１３０の撮像方向を変更することで、作業面１０ａだけではなく、作業面１０ａの周辺領域やユーザ２０等も撮像することができる。
【００６０】
領域特定部１２３は、第１領域１１と第２領域１２とを特定する。本実施の形態では、撮像部１３０を利用して第１領域１１と第２領域１２とを特定する。具体的には、領域特定部１２３は、撮像部１３０で撮像した撮像画像を取得し、取得した撮像画像を分析することで第１領域１１と第２領域１２とを特定する。
【００６１】
この場合、例えば、領域特定部１２３は、撮像部１３０で作業台１０の作業面１０ａを撮像し、撮像した作業面１０ａから、ユーザ２０が行う知的作業に必要な作業領域（第１領域１１）を特定する。第１領域１１が特定できれば第２領域１２も特定することができる。
【００６２】
領域特定部１２３によって第１領域１１及び第２領域１２が特定されると、処理部１２０Ｂは、特定された第１領域１１と第２領域とで異なる照度及び色温度となるような映像を生成する。映像制御部１２１は、生成された映像が投影されるように映像投影部１１０を制御する。これにより、映像投影部１１０からは、第１領域１１と第２領域１２とで照度及び色温度が異なった映像が投影される。
【００６３】
以上、本実施の形態における照明システム２によれば、上記実施の形態１と同様の構成を有するので、上記実施の形態１と同様の効果が得られる。
【００６４】
例えば、映像投影部１１０から投影される映像によって光の没入感を生成することによって、知的作業時において集中しやすい環境を簡易に実現することができる等の効果が得られる。
【００６５】
また、本実施の形態では、第１領域１１と第２領域１２とを特定する領域特定部１２３を備えている。
【００６６】
これにより、領域特定部１２３によって特定された第１領域１１及び第２領域１２をもとに、第１領域１１と第２領域１２とで照度及び色温度が異なった映像を容易に投影することができる。
【００６７】
なお、本実施の形態において、領域特定部１２３は、撮像部１３０で撮像した撮像画像をもとに第１領域１１と第２領域１２とを特定したが、これに限るものではなく、他の方法によって第１領域１１と第２領域１２とを特定してもよい。
【００６８】
また、本実施の形態において、領域特定部１２３及び撮像部１３０は、プロジェクタ照明１００Ｂの一部の構成要素としたが、これに限るものではない。つまり、領域特定部１２３は、プロジェクタ照明１００Ｂとは別体の制御装置等であってもよい。同様に、撮像部１３０も、プロジェクタ照明１００Ｂとは別体のカメラ等であってもよい。
【００６９】
（実施の形態２の変形例）
次に、実施の形態２の変形例に係る照明システムについて、図１２を用いて説明する。図１２は、実施の形態２の変形例に係る照明システムにおけるプロジェクタ照明１００Ｃの構成を示す機能ブロック図である。
【００７０】
図１２に示すように、本変形例における照明システムは、上記実施の形態２における照明システム２に対して、さらに、検出部１２４を備えている。
【００７１】
本変形例において、検出部１２４は、プロジェクタ照明１００Ｃの処理部１２０Ｃの機能として実現している。つまり、プロジェクタ照明１００Ｃは、上記実施の形態２におけるプロジェクタ照明１００Ｂに対して、さらに、検出部１２４を備える構成になっている。
【００７２】
検出部１２４は、ユーザ２０の知的作業中の動作状態を検出する。本変形例において、検出部１２４は、ユーザ２０の顔の状態から知的作業中の動作状態を検出する。
【００７３】
本変形例における照明システムでは、撮像部１３０を利用してユーザ２０の動作状態を検出する。具体的には、検出部１２４は、撮像部１３０の撮像方向を変更して撮像部１３０によってユーザ２０を含むユーザ２０の周辺領域を撮像することで、この撮像画像から、ユーザ２０の顔の状態、ユーザ２０の位置、ユーザ２０の前方の作業面１０ａ（机面）、及び、ユーザ２０の手元の動き等を認識し、これらをユーザ２０の動作状態として検出する。ユーザ２０の顔の状態は、例えば、撮像部１３０で撮像したユーザ２０の顔の特徴点（瞳、目の両端、口の数点、頬の数点等）から推定したユーザ２０の表情として認識することができる。
【００７４】
映像制御部１２１は、検出部１２４が検出した動作状態に応じて、映像投影部１１０を制御する。具体的には、映像制御部１２１は、検出部１２４が検出した動作状態（ユーザ２０の顔の特徴量、ユーザ２０の手元の動き等）を分析し、この分析結果に応じて投影する映像を生成し、この映像を投影するように映像投影部１１０を制御する。
【００７５】
例えば、映像制御部１２１は、検出部１２４が検出した動作状態の分析結果により、ユーザ２０がぼーっとしていたりして知的作業に集中していないと判断した場合、ユーザ２０に刺激を与えるような映像が投影されるように映像投影部１１０を制御するとよい。この場合、一例として、瞬時的に高照度及び高色温度の映像を投影するとよい。これにより、ユーザ２０の脳が覚醒してユーザ２０の意識を知的作業に向けることができるので、知的作業におけるユーザ２０の集中度を高めることができる。
【００７６】
また、映像制御部１２１は、検出部１２４が検出した動作状態の分析結果により、ユーザ２０がハイペースで知的作業を行っていると判断した場合、ユーザ２０は集中して知的作業を行っていると考えられるので、ユーザ２０の知的作業の邪魔にならないような映像が投影されるように映像投影部１１０を制御するとよい。この場合、一例として、映像投影部１１０による映像の投影を止めることができる。これにより、知的作業中のユーザ２０の高い集中度を持続させることができる。なお、映像の投影を止める場合、急に止めるのではなく、ユーザ２０に映像が投影されなくなったことを感じさせないように、調光によってフェードアウトするように映像の投影を止めるとよい。
【００７７】
以上、本変形例における照明システム２によれば、上記実施の形態２と同様の構成を有するので、上記実施の形態２と同様の効果が得られる。
【００７８】
例えば、映像投影部１１０から投影される映像によって光の没入感を生成することで知的作業時において集中しやすい環境を簡易に実現することができる等の効果が得られる。
【００７９】
また、本実施の形態では、ユーザ２０の知的作業中の動作状態を検出する検出部１２４を備えており、映像制御部１２１は、検出部１２４が検出した動作状態に応じて、映像投影部１１０を制御している。
【００８０】
このように、ユーザ２０の動作状態に応じて映像投影部１１０を制御することで、ユーザ２０に対してより集中しやすい環境を提供することができる。
【００８１】
また、本実施の形態では、ユーザ２０の顔の状態から知的作業中の動作状態を検出している。
【００８２】
これにより、ユーザ２０の動作状態を適確に認識することができるので、各ユーザ２０に応じた集中しやすい環境を実現することができる。
【００８３】
（その他変形例等）
以上、本発明に係る照明システムについて、実施の形態及び変形例に基づいて説明したが、本発明は、上記の実施の形態及び変形例に限定されるものではない。
【００８４】
例えば、上記実施の形態及び変形例において、プロジェクタ照明１００〜１００Ｃは天井に設置したが、プロジェクタ照明１００〜１００Ｃの設置箇所は、天井に限るものでなはなく、壁面等、室内の他の部分であってもよいし、室内に設置された構造物であってもよい。
【００８５】
また、上記実施の形態及び変形例において、映像制御部１２１は、プロジェクタ照明の一部の構成要素としたが、これに限るものではない。つまり、映像制御部１２１は、プロジェクタ照明とは別体の制御装置等であってもよい。
【００８６】
また、上記実施の形態１の変形例では、知的作業中のユーザ２０の作業ペースを示す配分情報を提示したが、これは、実施の形態２及びその変形例おいても適用することができる。また、上記実施の形態１の変形例では、知的作業を開始してからの時間情報及び知的作業終了までの残りの時間情報を提示する例を示したが、知的作業のトータル時間（例えば１時間等）の設定及び知的作業開始（スタート時刻）の設定等は、別途入力できるように構成されていてもよい。この場合、プロジェクタ照明に設けられた入力部（スイッチ、タッチパネル等）から入力してもよいが、実施の形態２のように撮像部１３０を有する場合は、設定ボタンを含む映像を映像投影部１１０によって作業面１０ａに投影し、ユーザ２０が指さした箇所を撮像部１３０で認識することで、トータル時間等の入力を行ってもよい。
【００８７】
その他、上記の実施の形態に対して当業者が思いつく各種変形を施して得られる形態、又は、本発明の趣旨を逸脱しない範囲で上記の実施の形態における構成要素及び機能を任意に組み合わせることで実現される形態も本発明に含まれる。
【００８８】
また、上記の説明において、処理部１２０における各構成は、回路であってもよい。これらの回路は、全体として１つの回路を構成してもよいし、それぞれ別々の回路でもよい。また、これらの回路は、それぞれ、汎用的な回路でもよいし、専用の回路でもよい。
【００８９】
また、上記の処理部１２０の各構成の動作として説明した処理は、コンピュータが実行してもよい。例えば、コンピュータが、プロセッサ（ＣＰＵ）、メモリ及び入出力回路等のハードウェア資源を用いてプログラムを実行することによって、上記の各処理を実行する。具体的には、プロセッサが処理対象のデータをメモリ又は入出力回路等から取得してデータを演算したり、演算結果をメモリ又は入出力回路等に出力したりすることによって、各処理を実行する。
【００９０】
また、処理部１２０は、映像投影部１１０及び撮像部１３０とは別体の制御装置（例えばパーソナルコンピュータ）であってもよい。この場合、処理部１２０は、映像投影部１１０及び撮像部１３０に対して信号の送受信を行う機能も有する。つまり、処理部１２０は、インターフェース等の通信部を有していてもよい。この場合、処理部１２０と、映像投影部１１０又は撮像部１３０との信号の送受信は、有線及び無線のいずれで行ってもよい。
【符号の説明】
【００９１】
１、２  照明システム
１１  第１領域
１２  第２領域
２０  ユーザ
１００、１００Ａ、１００Ｂ、１００Ｃ  プロジェクタ照明
１１０  映像投影部
１２１  映像制御部
１２２  提示部
１２３  領域特定部
１２４  検出部
【図１】
2017103059.tif 000003
【図２】
2017103059.tif 000004
【図３】
2017103059.tif 000005
【図４】
2017103059.tif 000006
【図５Ａ】
2017103059.tif 000007
【図５Ｂ】
2017103059.tif 000008
【図５Ｃ】
2017103059.tif 000009
【図５Ｄ】
2017103059.tif 000010
【図６】
2017103059.tif 000011
【図７】
2017103059.tif 000012
【図８】
2017103059.tif 000013
【図９】
2017103059.tif 000014
【図１０】
2017103059.tif 000015
【図１１】
2017103059.tif 000016
【図１２】
2017103059.tif 000017